(57)【特許請求の範囲】
【請求項１】
セルを特定する複数のセル特定情報と対応付けて、セルの移行に伴って受信された、セルに関する情報である複数の報知情報を履歴的に格納するセル情報格納手段と、
受信レベルに基づいて選定されたセルを特定するセル特定情報を受信するセル情報受信手段と、
前記セル情報格納手段に格納された複数のセル特定情報の何れかと、前記セル情報受信手段により受信されたセル特定情報と、が同一であるか否かを判定する同一性判定手段と、
前記同一性判定手段により、前記セル情報格納手段に格納された複数のセル特定情報の何れかと、前記セル情報受信手段により受信されたセル特定情報と、が同一であると判定された場合に、同一であると判定されたセル特定情報に対応する報知情報を、前記セル情報格納手段から取得する報知情報取得手段と、
前記報知情報取得手段により取得された報知情報を再使用することにより報知情報の全部を受信することなく前記選定されたセルに移行するセル移行手段と、
を備えることを特徴とする移動通信端末。
【請求項２】
セルの移行に伴って受信された、セルに関する情報である複数の報知情報を履歴的に格納するセル情報格納手段と、
受信レベルに基づいて選定されたセルに関する報知情報の一部を受信するセル情報受信手段と、
前記セル情報格納手段に格納された複数の報知情報の何れかの一部と、前記セル情報受信手段により受信された報知情報の一部と、が同一であるか否かを判定する同一性判定手段と、
前記同一性判定手段により、前記セル情報格納手段に格納された複数の報知情報の何れかの一部と、前記セル情報受信手段により受信された報知情報の一部と、が同一であると判定された場合に、同一であると判定された前記一部を有する報知情報を、前記セル情報格納手段から取得する報知情報取得手段と、
前記報知情報取得手段により取得された報知情報を再使用することにより報知情報の全部を受信することなく前記選定されたセルに移行するセル移行手段と、
を備えることを特徴とする移動通信端末。
【請求項３】
セルを特定する複数のセル特定情報と対応付けて、セルの移行に伴って受信された、セルに関する情報である複数の報知情報を履歴的に格納するセル情報格納手段と、
受信レベルに基づいて選定されたセルを特定するセル特定情報、及び該選定されたセルに関する報知情報の一部を受信するセル情報受信手段と、
前記セル情報格納手段に格納された複数のセル特定情報及び複数の報知情報の一部、の何れかと、前記セル情報受信手段により受信されたセル特定情報及び報知情報の一部と、が同一であるか否かを判定する同一性判定手段と、
前記同一性判定手段により、前記セル情報格納手段に格納された複数のセル特定情報及び複数の報知情報の一部、の何れかと、前記セル情報受信手段により受信されたセル特定情報及び報知情報の一部、が同一であると判定された場合に、前記セル情報格納手段に格納されたセル特定情報に対応する報知情報を、前記セル情報格納手段から取得する報知情報取得手段と、
前記報知情報取得手段により取得された報知情報を再使用することにより報知情報の全部を受信することなく前記選定されたセルに移行するセル移行手段と、
を備えることを特徴とする移動通信端末。
【請求項４】
前記セル情報格納手段は、受信時からの経過時間と対応付けて、セルの移行に伴って受信された複数の報知情報を履歴的に格納し、
前記報知情報取得手段は、前記経過時間が所定時間内である場合に、当該経過時間に対応する報知情報を、前記セル情報格納手段から取得することを特徴とする請求項１〜３の何れか一項に記載の移動通信端末。
【請求項５】
前記セル情報格納手段に格納された報知情報の一部と、前記セル情報受信手段により受信された報知情報の一部は、報知情報が変更されたか否かを判別可能な情報であることを特徴とする請求項２〜４の何れか一項に記載の移動通信端末。
【請求項６】
前記セル情報格納手段に格納された報知情報の一部と、前記セル情報受信手段により受信された報知情報の一部は、セルの識別情報であることを特徴とする請求項２〜４の何れか一項に記載の移動通信端末。
【請求項７】
移動通信端末が基地局から報知情報を受信してセル移行を行うセル移行方法であって、
セルを特定する複数のセル特定情報と対応付けて、セルの移行に伴って受信された、セルに関する情報である複数の報知情報を、格納手段に履歴的に格納するセル情報格納工程と、
受信レベルに基づいて選定されたセルを特定するセル特定情報を受信するセル情報受信工程と、
前記セル情報格納工程にて格納された複数のセル特定情報の何れかと、前記セル情報受信工程にて受信されたセル特定情報と、が同一であるか否かを判定する同一性判定工程と、
前記同一性判定工程にて、前記セル情報格納工程にて格納された複数のセル特定情報の何れかと、前記セル情報受信工程にて受信されたセル特定情報と、が同一であると判定された場合に、同一であると判定されたセル特定情報に対応する報知情報を、前記格納手段から取得する報知情報取得工程と、
前記報知情報取得工程にて取得された報知情報を再使用することにより報知情報の全部を受信することなく前記選定されたセルに移行するセル移行工程と、
を含むことを特徴とするセル移行方法。
【請求項８】
移動通信端末が基地局から報知情報を受信してセル移行を行うセル移行方法であって、
セルの移行に伴って受信された、セルに関する情報である複数の報知情報を、格納手段に履歴的に格納するセル情報格納工程と、
受信レベルに基づいて選定されたセルに関する報知情報の一部を受信するセル情報受信工程と、
前記セル情報格納工程にて格納された複数の報知情報の何れかの一部と、前記セル情報受信工程にて受信された報知情報の一部と、が同一であるか否かを判定する同一性判定工程と、
前記同一性判定工程にて、前記セル情報格納工程にて格納された複数の報知情報の何れかの一部と、前記セル情報受信工程にて受信された報知情報の一部と、が同一であると判定された場合に、同一であると判定された前記一部を有する報知情報を、前記格納手段から取得する報知情報取得工程と、
前記報知情報取得工程にて取得された報知情報を再使用することにより報知情報の全部を受信することなく前記選定されたセルに移行するセル移行手段と、
を含むことを特徴とするセル移行方法。
【請求項９】
移動通信端末が基地局から報知情報を受信してセル移行を行うセル移行方法であって、
セルを特定する複数のセル特定情報と対応付けて、セルの移行に伴って受信された、セルに関する情報である複数の報知情報を、格納手段に履歴的に格納するセル情報格納工程と、
受信レベルに基づいて選定されたセルを特定するセル特定情報、及び該選定されたセルに関する報知情報の一部を受信するセル情報受信工程と、
前記セル情報格納工程にて格納された複数のセル特定情報及び複数の報知情報の一部、の何れかと、前記セル情報受信工程にて受信されたセル特定情報及び報知情報の一部と、が同一であるか否かを判定する同一性判定工程と、
前記同一性判定工程にて、前記セル情報格納工程にて格納された複数のセル特定情報及び複数の報知情報の一部、の何れかと、前記セル情報受信工程にて受信されたセル特定情報及び報知情報の一部、が同一であると判定された場合に、前記セル情報格納工程にて格納されたセル特定情報に対応する報知情報を、前記格納手段から取得する報知情報取得工程と、
前記報知情報取得工程にて取得された報知情報を再使用することにより報知情報の全部を受信することなく前記選定されたセルに移行するセル移行工程と、
を含むことを特徴とするセル移行方法。
【請求項１０】
前記セル情報格納工程にて、受信時からの経過時間と対応付けて、セルの移行に伴って受信された複数の報知情報を履歴的に格納し、
前記報知情報取得工程にて、前記経過時間が所定時間内である場合に、当該経過時間に対応する報知情報を取得することを特徴とする請求項７〜９の何れか一項に記載のセル移行方法。
【請求項１１】
前記セル情報格納工程にて格納された報知情報の一部と、前記セル情報受信工程にて受信された報知情報の一部は、報知情報が変更されたか否かを判別可能な情報であることを特徴とする請求項８〜１０の何れか一項に記載のセル移行方法。
【請求項１２】
前記セル情報格納工程にて格納された報知情報の一部と、前記セル情報受信工程にて受信された報知情報の一部は、セルの識別情報であることを特徴とする請求項８〜１０の何れか一項に記載のセル移行方法。
【請求項１３】
請求項１〜６の何れか一項に記載の移動通信端末と、
前記移動通信端末により受信レベルに基づいて選定されたセルを特定するセル特定情報と、該選定されたセルに関する報知情報の一部との内、少なくとも一方の情報を、前記移動通信端末に送信する、該選定されたセルを通信エリアとする基地局、を備え、
前記移動通信端末と前記基地局間で通信を行うことを特徴とする移動通信システム。
【発明の詳細な説明】
【０００１】
【発明の属する技術分野】
本発明は、移動通信端末、報知情報格納方法、セル移行方法、及び移動通信システムに関する。
【０００２】
【従来の技術】
従来、携帯電話を始めとする移動通信端末は、１つの基地局から電波の届く範囲（以下、「セル」と記す。）の間を移動する際に、移動先の基地局から報知情報を受信する。報知情報は、移行先の候補となるセルに関する情報である。移動通信端末は、移行先候補のセルにおいて受信した報知情報に基づいて、移行先のセルを選定しセルの移行を行う。
【０００３】
【発明が解決しようとする課題】
しかしながら、上記従来技術では、以下の様な難点があった。即ち、通信待機中又は通信中の移動通信端末は、セルを移行する度に、移行先候補のセルに関する全ての報知情報を受信する。従って、例えば移動通信端末が第１セルから第２セルに移行した後に第１セルに戻ってきた場合に、第１セルの報知情報が変更されていないにも拘わらず、再び全ての報知情報を受信することになる。その結果、移動通信端末は、報知情報の受信時間及びセル移行時間を浪費すると共に、消費電力が増大する。
【０００４】
本発明は、上述の事情に鑑みてなされたものであり、セル移行時間の短縮及び低消費電力化を図った移動通信端末、報知情報格納方法、セル移行方法、及び移動通信システムを提供することを課題とする。
【００１１】
【課題を解決するための手段】
本発明に係る移動通信端末は、セルを特定する複数のセル特定情報と対応付けて、セルの移行に伴って受信された、セルに関する情報である複数の報知情報を履歴的に格納するセル情報格納手段と、受信レベルに基づいて選定されたセルを特定するセル特定情報を受信するセル情報受信手段と、前記セル情報格納手段に格納された複数のセル特定情報の何れかと、前記セル情報受信手段により受信されたセル特定情報と、が同一であるか否かを判定する同一性判定手段と、前記同一性判定手段により、前記セル情報格納手段に格納された複数のセル特定情報の何れかと、前記セル情報受信手段により受信されたセル特定情報と、が同一であると判定された場合に、同一であると判定されたセル特定情報に対応する報知情報を、前記セル情報格納手段から取得する報知情報取得手段と、前記報知情報取得手段により取得された報知情報を再使用することにより報知情報の全部を受信することなく選定されたセルに移行するセル移行手段と、を備えることを特徴とする。
【００１２】
本発明に係るセル移行方法は、移動通信端末が基地局から報知情報を受信してセル移行を行うセル移行方法であって、セルを特定する複数のセル特定情報と対応付けて、セルの移行に伴って受信された、セルに関する情報である複数の報知情報を、格納手段に履歴的に格納するセル情報格納工程と、受信レベルに基づいて選定されたセルを特定するセル特定情報を受信するセル情報受信工程と、前記セル情報格納工程にて格納された複数のセル特定情報の何れかと、前記セル情報受信工程にて受信されたセル特定情報と、が同一であるか否かを判定する同一性判定工程と、前記同一性判定工程にて、前記セル情報格納工程にて格納された複数のセル特定情報の何れかと、前記セル情報受信工程にて受信されたセル特定情報と、が同一であると判定された場合に、同一であると判定されたセル特定情報に対応する報知情報を、前記格納手段から取得する報知情報取得工程と、前記報知情報取得工程にて取得された報知情報を再使用することにより報知情報の全部を受信することなく選定されたセルに移行するセル移行工程と、を含むことを特徴とする。
【００１３】
これらの発明によれば、移動通信端末が受信した複数の報知情報を、複数のセル特定情報（例えば、スクランブリングコード）と対応付けて履歴的に格納する。移動通信端末がセル特定情報を受信すると、セル特定情報と同一のセル特定情報が既に格納されているか否かを判定する。判定の結果、格納されている場合は、対応する報知情報を読み出し、この報知情報に従ってセルを移行する。即ち、移動通信端末は、過去に受信した報知情報を再使用することにより、報知情報の全部を受信することなくセルを移行することができる。従って、報知情報の全部を受信してセルを移行する場合に比べて、迅速なセル移行が可能になる。また、データ受信チャネルの使用時間が短くなり、移動通信端末の消費電力を低減できる。
【００１４】
また、移動通信端末は、報知情報の一部を受信することなく、使用する報知情報を特定する。従って、報知情報の一部に基づいて、使用する報知情報を特定する場合に比べて、報知情報を特定するまでの時間を短縮できる。その結果、データ受信時間を短縮でき、迅速なセル移行が可能になる。また、データ受信チャネルの使用時間が短くなり、移動通信端末の消費電力を低減できる。
【００１５】
本発明に係る移動通信端末は、セルの移行に伴って受信された、セルに関する情報である複数の報知情報を履歴的に格納するセル情報格納手段と、受信レベルに基づいて選定されたセルに関する報知情報の一部を受信するセル情報受信手段と、前記セル情報格納手段に格納された複数の報知情報の何れかの一部と、前記セル情報受信手段により受信された報知情報の一部と、が同一であるか否かを判定する同一性判定手段と、前記同一性判定手段により、前記セル情報格納手段に格納された複数の報知情報の何れかの一部と、前記セル情報受信手段により受信された報知情報の一部と、が同一であると判定された場合に、同一であると判定された前記一部を有する報知情報を、前記セル情報格納手段から取得する報知情報取得手段と、前記報知情報取得手段により取得された報知情報を再使用することにより報知情報の全部を受信することなく選定されたセルに移行するセル移行手段と、を備えることを特徴とする。
【００１６】
本発明に係るセル移行方法は、移動通信端末が基地局から報知情報を受信してセル移行を行うセル移行方法であって、セルの移行に伴って受信された、セルに関する情報である複数の報知情報を、格納手段に履歴的に格納するセル情報格納工程と、受信レベルに基づいて選定されたセルに関する報知情報の一部を受信するセル情報受信工程と、前記セル情報格納工程にて格納された複数の報知情報の何れかの一部と、前記セル情報受信工程にて受信された報知情報の一部と、が同一であるか否かを判定する同一性判定工程と、前記同一性判定工程にて、前記セル情報格納工程にて格納された複数の報知情報の何れかの一部と、前記セル情報受信工程にて受信された報知情報の一部と、が同一であると判定された場合に、同一であると判定された前記一部を有する報知情報を、前記格納手段から取得する報知情報取得工程と、前記報知情報取得工程にて取得された報知情報を再使用することにより報知情報の全部を受信することなく選定されたセルに移行するセル移行手段と、を含むことを特徴とする。
【００１７】
これらの発明によれば、移動通信端末が受信した複数の報知情報を履歴的に格納する。移動通信端末が報知情報の一部を受信すると、当該報知情報の一部と同一の情報が既に格納されているか否かを判定する。判定の結果、格納されている場合は、対応する報知情報を読み出し、この報知情報に従ってセルを移行する。即ち、移動通信端末は、報知情報を再使用することにより、報知情報の全部を受信することなくセルを移行することができる。従って、報知情報の全部を受信してセルを移行する場合に比べて、迅速なセル移行が可能になる。
【００１８】
また、データ受信チャネルの使用時間が短くなり、移動通信端末の消費電力を低減できる。また、移動通信端末は、既に受信した報知情報の一部に基づいて、使用する報知情報を特定する。従って、セル特定情報に基づいて、使用する報知情報を特定する場合に比べて、報知情報を精確に特定することができる。
【００１９】
本発明に係る移動通信端末は、セルを特定する複数のセル特定情報と対応付けて、セルの移行に伴って受信された、セルに関する情報である複数の報知情報を履歴的に格納するセル情報格納手段と、受信レベルに基づいて選定されたセルを特定するセル特定情報、及び該選定されたセルに関する報知情報の一部を受信するセル情報受信手段と、前記セル情報格納手段に格納された複数のセル特定情報及び複数の報知情報の一部、の何れかと、前記セル情報受信手段により受信されたセル特定情報及び報知情報の一部、が同一であるか否かを判定する同一性判定手段と、前記同一性判定手段により、前記セル情報格納手段に格納された複数のセル特定情報及び複数の報知情報の一部、の何れかと、前記セル情報受信手段により受信されたセル特定情報及び報知情報の一部、が同一であると判定された場合に、前記セル情報格納手段に格納されたセル特定情報に対応する報知情報を、前記セル情報格納手段から取得する報知情報取得手段と、前記報知情報取得手段により取得された報知情報を再使用することにより報知情報の全部を受信することなく選定されたセルに移行するセル移行手段と、を備えることを特徴とする。
【００２０】
本発明に係るセル移行方法は、移動通信端末が基地局から報知情報を受信してセル移行を行うセル移行方法であって、セルを特定する複数のセル特定情報と対応付けて、セルの移行に伴って受信された、セルに関する情報である複数の報知情報を、格納手段に履歴的に格納するセル情報格納工程と、受信レベルに基づいて選定されたセルを特定するセル特定情報、及び該選定されたセルに関する報知情報の一部を受信するセル情報受信工程と、前記セル情報格納工程にて格納された複数のセル特定情報及び複数の報知情報の一部、の何れかと、前記セル情報受信工程にて受信されたセル特定情報及び報知情報の一部、が同一であるか否かを判定する同一性判定工程と、前記同一性判定工程にて、前記セル情報格納工程にて格納された複数のセル特定情報及び複数の報知情報の一部、の何れかと、前記セル情報受信工程にて受信されたセル特定情報及び報知情報の一部、が同一であると判定された場合に、前記セル情報格納工程にて格納されたセル特定情報に対応する報知情報を、前記格納手段から取得する報知情報取得工程と、前記報知情報取得工程にて取得された報知情報を再使用することにより報知情報の全部を受信することなく選定されたセルに移行するセル移行工程と、を含むことを特徴とする。
【００２１】
これらの発明によれば、移動通信端末が受信した複数の報知情報を、複数のセル特定情報（例えば、スクランブリングコード）と対応付けて履歴的に格納する。移動通信端末がセル特定情報と報知情報の一部を受信すると、セル特定情報と報知情報の一部の双方と、同一の情報が既に格納されているか否かを判定する。判定の結果、格納されている場合は、対応する報知情報を読み出し、この報知情報に従ってセルを移行する。即ち、移動通信端末は、報知情報を再使用することにより、報知情報の全部を受信することなくセルを移行することができる。従って、報知情報の全部を受信してセルを移行する場合に比べて、迅速なセル移行が可能になる。また、データ受信チャネルの使用時間が短くなり、移動通信端末の消費電力を低減できる。
【００２２】
また、移動通信端末は、既に受信したセル特定情報と報知情報の一部に基づいて、使用する報知情報を特定する。従って、セル特定情報、報知情報の一部の何れか一方の情報に基づいて、使用する報知情報を特定する場合に比べて、より精確に報知情報を特定することができる。
【００２３】
更に、移動通信端末は、受信したセル特定情報と同一のセル特定情報が格納されていない場合には、セル特定情報を受信した時点で同一の報知情報が無いものと判断し、報知情報の全部を受信する。従って、報知情報の一部の同一性を判定する処理が不要となり、セル特定情報を同一性判定に使用しない場合に比べて、無駄なデータ受信をすることが無い。また、無駄なデータ受信に伴う時間も短縮できる。
【００２４】
本発明に係る移動通信端末において、前記セル情報格納手段は、受信時からの経過時間と対応付けて、セルの移行に伴って受信された複数の報知情報を履歴的に格納し、前記報知情報取得手段は、前記経過時間が所定時間内である場合に、当該経過時間に対応する報知情報を、前記セル情報格納手段から取得することが好ましい。
【００２５】
本発明に係るセル移行方法において、前記セル情報格納工程にて、受信時からの経過時間と対応付けて、セルの移行に伴って受信された複数の報知情報を履歴的に格納し、前記報知情報取得工程にて、前記経過時間が所定時間内である場合に、当該経過時間に対応する報知情報を取得することが好ましい。
【００２６】
これらの発明によれば、移動通信端末が受信した複数の報知情報を、受信時からの経過時間と対応付けて履歴的に格納する。移動通信端末がセル特定情報又は報知情報の一部を受信すると、少なくとも一方の情報が同一であり、且つ、経過時間が所定時間内である報知情報を読み出し、この報知情報に従ってセルを移行する。即ち、移動通信端末は、経過時間が所定時間を超えた報知情報を使用しない。従って、別のセルであるにも拘わらず、セル特定情報又は報知情報の一部が同一であるセルに移行する場合に、移動通信端末が、同一のセルへの移行であると誤判定してしまうことを防止できる。
【００２７】
本発明に係る移動通信端末において、前記セル情報格納手段に格納された報知情報の一部と、前記セル情報受信手段により受信された報知情報の一部は、報知情報が変更されたか否かを判別可能な情報であることが好ましい。
【００２８】
本発明に係るセル移行方法において、前記セル情報格納工程にて格納された報知情報の一部と、前記セル情報受信工程にて受信された報知情報の一部は、報知情報が変更されたか否かを判別可能な情報であることが好ましい。
【００２９】
これらの発明によれば、格納された報知情報の一部と、受信された報知情報の一部は、報知情報が変更されたか否かを判別可能な情報（例えば、value-tag）である。従って、同一のセルに関する報知情報が時間的に変化した場合に、移動通信端末は、報知情報の変化を容易に判別することができる。これにより、報知情報の全部を受信すべき判断を迅速に行うことができる。その結果、迅速なセル移行が可能となる。
【００３０】
本発明に係る移動通信端末において、前記セル情報格納手段に格納された報知情報の一部と、前記セル情報受信手段により受信された報知情報の一部は、セルの識別情報であることが好ましい。
【００３１】
本発明に係るセル移行方法において、前記セル情報格納工程にて格納された報知情報の一部と、前記セル情報受信工程にて受信された報知情報の一部は、セルの識別情報であることが好ましい。
【００３２】
これらの発明によれば、格納された報知情報の一部と、受信された報知情報の一部は、セルの識別情報（例えば、セルＩＤ）である。従って、セルの同一性を容易に識別できる。その結果、報知情報の同一性判定を、より高精度に行うことが可能となる。
【００３３】
更に、上述した移動通信端末と、移動通信端末により受信レベルに基づいて選定されたセルを特定するセル特定情報と、該選定されたセルに関する報知情報の一部との内、少なくとも一方の情報を、移動通信端末に送信する、該選定されたセルを通信エリアとする基地局、を備え、移動通信端末と基地局間で通信を行う移動通信システムとして構築・運用してもよい。
【００３４】
【発明の実施の形態】
（第１実施形態）
以下、添付図面を参照して本発明の第１実施形態における移動通信システム１００を詳細に説明する。構成及び動作説明の前提として、報知情報について説明する。報知情報は、複数のデータにより構成される。以下、報知情報の構成要素である個々のデータと、集合体としての全データとの区別を明確にするために、前者を「報知情報構成データ」と記し、後者を「報知情報」と記す。
【００３５】
図１は、報知情報１０の構成例を示す模式図である。図１に示す様に、報知情報１０は、報知情報構成データＡ群１０ａと、報知情報構成データＢ群１０ｂにより構成される。報知情報構成データＡ群１０ａは、図中Ａに示す複数の報知情報構成データＡにより構成される。また、報知情報構成データＢ群１０ｂは、図中Ｂ１，Ｂ３，Ｂ５に示す複数の報知情報構成データＢにより構成される。
【００３６】
詳細には、報知情報構成データＡは、一定間隔（例えば80ms）で送信され、事業者コード、value-tag、スケジュール情報等のデータを含む。事業者コードは、基地局を管轄する事業者を識別する為に、各事業者に一意的に割り当てられたデータである。value-tagは、報知情報のデータ内容が変更されたか否かを判別する為のデータである。スケジュール情報は、報知情報構成データＢの配列を示す情報である。
【００３７】
報知情報構成データＢには、属性の異なる18種類のデータがあり、その属性に応じて送信間隔が異なる。報知情報構成データＢの１種であるＢ１は、セルＩＤを含む報知情報である。セルＩＤは、報知情報が送信されるセルを識別する為に、各セルに割り当てられたデータである。
【００３８】
次に、移動通信システム１００の構成を説明する。図２は、本発明に係る移動通信システム１００の全体構成、及び携帯電話１の機能的構成を示す模式図である。図２に示す様に、移動通信システム１００は、携帯電話１、基地局Ｂ１、及び基地局Ｂ２が無線通信回線を介して相互に通信可能な様に接続されている。基地局Ｂ１は、第１セルを通信エリアとする周知の基地局であり、基地局Ｂ２は、第２セルを通信エリアとする周知の基地局である。
【００３９】
図２に示す様に、携帯電話１は、アンテナ２、送受信部３（セル情報受信手段に対応する）、制御部４（同一性判定手段、報知情報取得手段、及びセル移行手段に対応する）、記憶部５（報知情報格納手段、及びセル情報格納手段に対応する）、音声処理部６、スピーカＳ、及びマイクＭにより構成され、各部はバスを介して各種信号の入出力が可能な様に接続されている。
【００４０】
以下、各構成要素について詳細に説明する。アンテナ２は、携帯電話１の筐体上部に伸縮可能に設けられ、基地局Ｂ１，Ｂ２との間で所定の周波数帯域の信号を送受信する。アンテナ２は、受信時には、基地局Ｂ１，Ｂ２から受信した信号を送受信部３に入力する。一方、送信時には、送受信部３から入力される信号を上記所定の周波数帯域の搬送波に乗せて基地局Ｂ１，Ｂ２に送信する。
【００４１】
送受信部３は、信号の変復調を行う変復調部と信号の符復号化を行う符復号部を有する。変復調部は、受信時には、アンテナ２から入力された信号を、符復号部が処理可能な信号に復調する処理を行う。一方、送信時には、符復号部で変換されたデジタル信号を、搬送可能な信号に変調する処理を行う。また、符復号部は、コーデック（CODEC）により構成され、受信時には、変復調部から入力されたデジタル信号をアナログ信号に変換する処理（復号化）を行う。一方、送信時には、音声信号等のアナログ信号をデジタル信号に変換する処理（符号化）を行い、変換したデジタル信号を送信に適したデータ量に圧縮する。
【００４２】
制御部４は、ＲＯＭ（図示せず）に予め記録されているプログラムを読み出し、当該プログラムに従って各部を統括的に制御する。例えば、制御部４は、後述するセル移行処理の実行に際して、基地局Ｂ１から受信した報知情報と基地局Ｂ２から受信した報知情報が同一であるか否かを判定する。また、制御部４は、移行先のセルを選定して、セルを移行する処理を実行する。
【００４３】
記憶部５は、セル情報格納テーブル５１、及び報知情報格納領域５２を備えて構成される。詳細なデータ格納例に関しては後述するが、セル情報格納テーブル５１は、スクランブリングコード格納領域５１ａ、value-tag格納領域５１ｂ、セルＩＤ格納領域５１ｃを少なくとも有する。ここで、スクランブリングコードは、セルを構成するセクターの識別コードである。以下、スクランブリングコード、value-tag、及びセルＩＤの３種類のデータを纏めて「セル情報」と記す。
【００４４】
また、報知情報格納領域５２は、value-tagと対応付けて、value-tagを含む報知情報構成データＡを格納する領域と、セルＩＤと対応付けて、セルＩＤを含む報知情報構成データＢを格納する領域を少なくとも有する。
【００４５】
音声処理部６は、マイクＭ及びスピーカＳを備える。音声処理部６は、マイクＭにより音声波を音声信号に変換し、送受信部３へ出力する。また、音声処理部６は、送受信部３から入力された音声信号を増幅器（図示せず）を介して増幅し、音声波に変換してスピーカＳから外部に出力する。
【００４６】
次に動作を説明する。以下、図３を参照して、第１実施形態におけるセル移行処理について説明する。
【００４７】
先ず、Ｓ１１では、携帯電話１は、受信レベルに基づいて移行先候補のセルを選定する。次に、携帯電話１は、選定したセルを通信エリアとする基地局から、スクランブリングコードを受信する（Ｓ１２）。
【００４８】
次に、携帯電話１は、スクランブリングコード格納領域５１ａ内に、Ｓ１２で受信したスクランブリングコードと同一のスクランブリングコードが格納されているか否かを判定する（Ｓ１３）。
【００４９】
Ｓ１３において、同一のスクランブリングコードが格納されている場合（Ｓ１３；ＹＥＳ）、携帯電話１は、Ｓ１１で選定したセルを通信エリアとする基地局から、報知情報Ａを受信する（Ｓ１４）。一方、Ｓ１３において、同一のスクランブリングコードが格納されていない場合（Ｓ１３；ＮＯ）には、後述するＳ２０以降の処理に移行する。
【００５０】
Ｓ１５では、携帯電話１は、Ｓ１４で受信した報知情報Ａからvalue-tagを抽出する。携帯電話１は、value-tag格納領域５１ｂ内に、抽出したvalue-tagと同一のvalue-tagが格納されているか否かを判定する。
【００５１】
Ｓ１５において、同一のvalue-tagが格納されている場合（Ｓ１５；ＹＥＳ）、携帯電話１は、Ｓ１１で選定したセルを通信エリアとする基地局から、報知情報Ｂ１を受信する（Ｓ１６）。一方、Ｓ１５において、同一のvalue-tagが格納されていない場合（Ｓ１５；ＮＯ）には、後述するＳ２０以降の処理に移行する。
【００５２】
Ｓ１７では、携帯電話１は、Ｓ１６で受信した報知情報Ｂ１からセルＩＤを抽出する。携帯電話１は、セルＩＤ格納領域５１ｃ内に、抽出したセルＩＤと同一のセルＩＤが格納されているか否かを判定する。
【００５３】
Ｓ１７において、同一のセルＩＤが格納されている場合（Ｓ１７；ＹＥＳ）、携帯電話１は、Ｓ１１で選定したセルの報知情報として、報知情報格納領域５２内に格納されている報知情報（報知情報構成データＡ群と報知情報構成データＢ群）を使用可能であるものと判断する。そして、携帯電話１は、報知情報格納領域５２から、Ｓ１５で抽出したvalue-tagに対応する報知情報構成データＡ群と、Ｓ１７で抽出したセルＩＤに対応する報知情報構成データＢ群を読み出す（Ｓ１８）。
【００５４】
次のＳ１９では、携帯電話１は、Ｓ１８で読み出した報知情報構成データＡ群と報知情報構成データＢ群（即ち、報知情報）に従って、セルの移行処理を行う。セル移行の完了後は、再びＳ１１に戻り、それ以降の処理を実行する。
【００５５】
次に、Ｓ２０〜Ｓ２１の各処理について説明する。Ｓ２０〜Ｓ２１の処理は、携帯電話１が、セルを移行する為に必要な報知情報を格納していないものと判断した場合に実行される。即ち、Ｓ１１で選定したセルのスクランブリングコード、value-tag、及びセルＩＤの何れか１つでも、セル情報格納テーブル５１に格納されていない場合に実行される。
【００５６】
Ｓ２０では、携帯電話１は、Ｓ１１で選定したセルの報知情報に含まれる全てのデータを受信する。最後のＳ２１では、携帯電話１は、報知情報格納処理を実行する。
【００５７】
以下、図４を参照して第１実施形態における報知情報格納処理について説明する。Ｓ２１１では、携帯電話１は、スクランブリングコード格納領域５１ａに、Ｓ１２で受信したスクランブリングコードを格納する。次のＳ２１２では、携帯電話１は、Ｓ１４又はＳ２０で受信した報知情報構成データＡの中からvalue-tagを抽出し、value-tag格納領域５１ｂに格納する。同様に、Ｓ２１３では、携帯電話１は、Ｓ１６又はＳ２０で受信した報知情報構成データＢ１の中からセルＩＤを抽出し、セルＩＤ格納領域５１ｃに格納する。また、最後のＳ２１４では、携帯電話１は、受信したスクランブリングコード、value-tag、及びセルＩＤと対応付けて、報知情報格納領域５２に、報知情報を格納する。
【００５８】
図３に戻り、報知情報格納処理の実行終了後、携帯電話１は、Ｓ２０で受信した報知情報に従って、セルの移行処理を行う（Ｓ１９）。セル移行の完了後は、再びＳ１１に戻り、それ以降の処理を実行する。尚、セルの移行処理とは、携帯電話１が通信相手となる基地局を切り替えた結果、携帯電話１が使用するセルが変更することを指す。基地局の切替えには、別体として構成された基地局への切替えのみならず、同一の基地局内における通信方式（使用周波数帯域、変復調方式、符復号化方式等）の切替えを含む。
【００５９】
図５は、報知情報格納処理の実行後におけるセル情報格納テーブル５１内のデータ格納例を示す図である。図５に示す様に、セル情報格納テーブル５１は、スクランブリングコード格納領域５１ａ、value-tag格納領域５１ｂ、及びセルＩＤ格納領域５１ｃを備え、スクランブリングコード、value-tag、及びセルＩＤの各データを対応付けて格納する。
【００６０】
スクランブリングコード格納領域５１ａは、スクランブリングコードを識別する為に一意的に割り当てられたデータ（例えば、"#1"、"#2"、"#3"、"#2"、"#2"、…）を「スクランブリングコード」として履歴的に格納する。
【００６１】
また、value-tag格納領域５１ｂは、value-tagを識別する為に一意的に割り当てられたデータ（例えば、"#A"、"#B"、"#B"、"#D"、"#D"、…）を「value-tag」として履歴的に格納する。
【００６２】
同様に、セルＩＤ格納領域５１ｃは、セルＩＤを識別する為に割り当てられたデータ（例えば、"#10"、"#15"、"#22"、"#56"、"#15"、…）を「セルＩＤ」として履歴的に格納する。
【００６３】
以上説明した様に、第１実施形態における携帯電話１は、セル移行処理の実行に際して、第１セルのスクランブリングコード、value-tag、及びセルＩＤの全データが一致する報知情報が、報知情報格納領域５２に格納されている場合にのみ、当該報知情報を読み出してセルを移行する。また、報知情報格納処理の実行に際して、セルの移行に伴って受信された複数の報知情報を、スクランブリングコードと対応付けて履歴的に格納する。
【００６４】
即ち、第１実施形態における携帯電話１は、移行先候補のセルの報知情報と既有の報知情報の同一性を判定した上で、既有の報知情報を受信前の報知情報として再使用するか否かを決定する。これにより、セルの移行に伴って受信するデータ容量を減らし、受信時間を短縮する。セルの移行は、報知情報の受信終了後に完了するので、受信時間の短縮によりセルの移行時間を短縮できる。更に、データ受信チャネルの使用時間が短くなり、携帯電話１の消費電力を低減できる。
【００６５】
また、携帯電話１は、受信したスクランブリングコードと同一のスクランブリングコードがない場合には、スクランブリングコードを受信した時点で同一の報知情報が無いものと判断し、移行先候補であるセルの報知情報の全構成データを受信する。従って、value-tagとセルＩＤの同一性を判定する処理が不要となり、スクランブリングコードを同一性判定に使用しない場合に比べて、無駄なデータ受信をすることが無い。また、無駄なデータ受信に伴う時間を短縮できるという利点もある。
【００６６】
更に、報知情報の受信時間を短縮した結果、以下の様な効果もある。例えば、携帯電話１が、共通チャネルを用いてパケット通信中にセルを移行する場合、パケット通信を一旦中断する必要がある。この場合、セル移行の完了後に通信を再開始するには、報知情報を受信し、且つ、セルの移行を通知する信号を基地局に送信する必要がある。ところが、報知情報の全構成データを受信した後に、通知信号を送信すると、信号遅延が発生する。そこで、報知情報の受信時間を短縮して、パケット通信の中断時間を短縮すれば、信号遅延の発生を抑止できる。
【００６７】
（第２実施形態）
次に、本発明の第２実施形態について説明する。先ず、構成を説明する。本実施形態における移動通信システムの基本的構成は、第１実施形態における移動通信システム１００の構成と同様であるので、各構成要素には同一の符合を付しその説明は省略すると共に、第１実施形態との相違点について詳述する。
【００６８】
記憶部５は、有効時間格納領域５３を有する。有効時間格納領域５３は、有効時間データを格納する。有効時間データは、携帯電話１が報知情報を受信した時点から、報知情報が無効になる時点までの時間を示す数値データである。
【００６９】
また、詳細なデータ格納例に関しては後述するが、セル情報格納テーブル５１は、スクランブリングコード格納領域５１ａ、value-tag格納領域５１ｂ、経過時間格納領域５１ｄを少なくとも有する。尚、本実施形態におけるセル情報格納テーブル５１は、セルＩＤ格納領域５１ｃを有さない。
【００７０】
次に動作を説明する。以下、図６を参照して第２実施形態におけるセル移行処理について説明する。図６に示すＴ１１〜Ｔ１３，Ｔ１６〜Ｔ１７，及びＴ１８〜Ｔ２０の各処理は、第１実施形態において詳述したＳ１１〜Ｓ１３，Ｓ１４〜Ｓ１５，及びＳ１８〜Ｓ２０の各処理（図３参照）と、夫々同一であるので、第１実施形態とは異なるＴ１４〜Ｔ１５、及びＴ２１の処理について説明する。
【００７１】
即ち、Ｔ１４においては、携帯電話１は、Ｔ１２で受信したスクランブリングコードに対応する経過時間データを、経過時間格納領域５１ｄから取得する。次のＴ１５では、携帯電話１は、有効時間格納領域５３から有効時間データを取得し、当該有効時間データと、Ｔ１４で取得した経過時間データとを比較する。
【００７２】
比較の結果、経過時間が有効時間内であれば（Ｔ１５；ＹＥＳ）、携帯電話１は、Ｔ１４で取得した経過時間データに対応するセル情報及び報知情報が有効であるものと判断し、Ｔ１６に移行する。一方、経過時間が有効時間を越えている場合（Ｔ１５；ＮＯ）、携帯電話１は、Ｔ１４で取得した経過時間データに対応するセル情報及び報知情報が無効であるものと判断し、Ｔ２０に移行する。
【００７３】
次に、図７を参照して第２実施形態における報知情報格納処理（Ｔ２１）について説明する。図７に示すＴ２１１〜Ｔ２１２，Ｔ２１４の各処理は、第１実施形態において詳述したＳ２１１〜Ｓ２１２，Ｓ２１４の各処理（図４参照）と、夫々同一であるので、第１実施形態とは異なるＴ２１３の処理について説明する。Ｔ２１３において、携帯電話１は、報知情報の受信時点を開始時点として、経過時間の計時を開始する為、経過時間格納領域５１ｄに、経過時間データの初期値である"０" を記憶する。携帯電話１は、Ｔ２０で受信した報知情報と対応付けて経過時間データを記憶する。格納された経過時間データは、時間の経過に伴って自動的に更新される動的データである。
【００７４】
報知情報格納処理の実行後、セル情報格納テーブル５１は、例えば、図８に示すデータ格納例に示す状態となる。即ち、セル情報格納テーブル５１は、スクランブリングコード格納領域５１ａ、value-tag格納領域５１ｂ、及び経過時間格納領域５１ｄを備え、スクランブリングコード、value-tag、及び経過時間の各データを対応付けて格納する。
【００７５】
経過時間格納領域５１ｄは、携帯電話１が報知情報を受信した時点からの経過時間を示す更新可能な数値データ（例えば、"30"、"28"、"15"、"10"、"8"、…）を「経過時間」として履歴的に格納する。尚、図８の網掛け部分は、第１実施形態との差異を明確にする為に付したものであり、有効時間が２０に設定されている場合において、データが無効になっていることを示す。スクランブリングコード格納領域５１ａ、及びvalue-tag格納領域５１ｂ内部のデータ格納形態は、第１実施形態と同一であるので省略する。
【００７６】
以上説明した様に、第２実施形態における携帯電話１は、セル移行処理の実行に際して、第１セルのスクランブリングコード、value-tagの双方が一致し、且つ、経過時間が有効時間内である場合にのみ、対応する報知情報を読み出してセルを移行する。また、報知情報格納処理の実行に際して、セルの移行に伴って受信された複数の報知情報を、スクランブリングコード及び経過時間と対応付けて履歴的に格納する。
【００７７】
即ち、第２実施形態における携帯電話１は、移行先候補のセルの報知情報と既有の報知情報の同一性と、既有の報知情報の有効性を判定した上で、既有の報知情報を受信前の報知情報として再使用するか否かを決定する。従って、第１実施形態における携帯電話１と比較して、同一性判定処理の信頼性を向上できる。
【００７８】
特に、報知情報の同一性判定条件として有効時間を追加したのは、以下の理由による。即ち、別のセルであっても報知情報の一部が同一である場合があり、この様な場合に、携帯電話１が、別のセルを同一のセルと誤判定してしまうことを防止する為である。
【００７９】
より具体的には、第１セルに対応する経過時間が所定時間内である場合には、第１セルからの移行時間が短いことが予測される。このため、スクランブリングコードが同一である場合には、移行先候補のセルも第１セルである可能性が高い。従って、第１セルに対応する報知情報を読み出して使用しても、適切なセル移行が可能である。
【００８０】
これに対して、第１セルに対応する経過時間が所定時間を超えている場合には、第１セルからの移行時間が長い（即ち、第１セルと距離的に離れている）ことが予測される。このため、スクランブリングコードが同一であっても、移行先候補のセルが第１セルであるとは限らない。この様な場合に、第１セルに対応する報知情報を読み出して使用すると、移行先のセルの報知情報とは異なる報知情報に従ってセルを移行することになり、適切なセル移行を行うことができない。そこで、この様な不都合を回避する為、スクランブリングコードやセルＩＤとは別に、セルの同一性判定基準を設けたものである。
【００８１】
尚、本実施形態のセル移行処理におけるＴ１５において、携帯電話１は、無効と判断したセル情報をセル情報格納テーブル５１から消去し、無効と判断した報知情報を報知情報格納領域５２から消去するものとしてもよい。これにより、セル情報格納テーブル５１と報知情報格納領域５２内の使用データ容量を節約できる。その結果、より多数の有効なセル情報及び報知情報を格納することが可能となる。
【００８２】
（第３実施形態）
次に、本発明の第３実施形態について説明する。本実施形態は、上述した第１実施形態と第２実施形態を複合した形態である。先ず、構成を説明する。本実施形態における移動通信システムの基本的構成は、第１実施形態及び第２実施形態における移動通信システム１００の構成と同様である。従って、各構成要素には同一の符合を付しその説明は省略すると共に、第１実施形態又は第２実施形態との相違点について詳述する。
【００８３】
詳細なデータ格納例に関しては後述するが、セル情報格納テーブル５１は、スクランブリングコード格納領域５１ａ、value-tag格納領域５１ｂ、セルＩＤ格納領域５１ｃ、及び経過時間格納領域５１ｄを少なくとも有する。
【００８４】
次に動作を説明する。以下、図９を参照して第３実施形態におけるセル移行処理について説明する。図９に示すＵ１１〜Ｕ１５、Ｕ１８〜Ｕ１９、Ｕ２０〜Ｕ２１、Ｕ２２の各処理は、第１実施形態において詳述したＳ１１〜Ｓ１５、Ｓ１８〜Ｓ１９、Ｓ１６〜Ｓ１７、Ｓ２０の各処理（図３参照）と夫々同一である。また、図９に示すＵ１６〜Ｕ１７の各処理は、第２実施形態において詳述したＴ１４〜Ｔ１５の各処理（図６参照）と夫々同一である。
【００８５】
従って、上記各ステップについての詳細な説明は省略するが、第３実施形態におけるセル移行処理は、以下の点において、第１及び第２実施形態と相違する。即ち、Ｕ１７において、携帯電話１が受信した報知情報の経過時間が有効時間を超えた場合であっても、当該セルのセルＩＤがセルＩＤ格納領域５１ｃに格納されている場合には、報知情報の読み出し処理（Ｕ１８）を実行する。
【００８６】
次に、図１０を参照して第３実施形態における報知情報格納処理（Ｕ２３）について説明する。図１０に示すＵ２３１〜Ｕ２３２、及びＵ２３４〜Ｕ２３５の各処理は、第１実施形態において説明したＳ２１１〜Ｓ２１２、及びＳ２１３〜Ｓ２１４の各処理（図４参照）と、夫々同一である。また、図１０に示すＵ２３３の処理は、第２実施形態において詳述したＴ２１３の処理（図７参照）と同一である。従って、各データ格納領域についての詳細な説明は省略する。
【００８７】
報知情報格納処理の実行後、セル情報格納テーブル５１は、例えば、図１１に示すデータ格納例に示す状態となる。即ち、セル情報格納テーブル５１は、スクランブリングコード格納領域５１ａ、value-tag格納領域５１ｂ、セルＩＤ格納領域５１ｃ、及び経過時間格納領域５１ｄを備え、スクランブリングコード、value-tag、セルＩＤ、及び経過時間の各データを対応付けて格納する。
【００８８】
スクランブリングコード格納領域５１ａ、value-tag格納領域５１ｂ、及びセルＩＤ格納領域５１ｃ内部のデータ格納形態は、第１実施形態における各データ格納形態と同一であるので省略する。また、経過時間格納領域５１ｄ内部のデータ格納形態は、第２実施形態における経過時間データの格納形態と同一であるので省略する。尚、図１１の網掛け部分は、第１実施形態との差異を明確にする為に付したものであり、有効時間が２０に設定されている場合において、使用されないデータであることを示す。
【００８９】
以上説明した様に、第３実施形態における携帯電話１は、セル移行処理の実行に際して、第１セルのスクランブリングコード、value-tagの双方が一致し、且つ、経過時間が有効時間内である場合には、対応する報知情報を読み出してセルを移行する。更に、経過時間が有効時間を超えている場合であっても、セルＩＤが一致していれば、対応する報知情報を読み出してセルを移行する。これにより、携帯電話1は、経過時間に基づいてセルの同一性を判定可能な場合にまで、セルＩＤを使用してセルの同一性判定を行うことはない。その結果、必要最小限の処理でセルの同一性を判定することができる。また、報知情報格納処理の実行に際して、セルの移行に伴って受信された複数の報知情報を、スクランブリングコード及び経過時間と対応付けて履歴的に格納する。
【００９０】
即ち、第３実施形態における携帯電話１は、既有の報知情報の有効性と同一性判定処理の迅速性を考慮した上で、既有の報知情報を受信前の報知情報として再使用するか否かを決定する。従って、同一性判定処理の信頼性を維持しつつ、迅速なセル移行が可能となる。
【００９１】
尚、上記各実施形態に記載の態様は、本発明に係る移動通信システムの好適な一例であり、これに限定されるものではない。
【００９２】
例えば、上記各実施形態では、携帯電話１が、セルを特定する為の情報としてスクランブリングコードを例示したが、これは、携帯電話１の無線通信方式がＣＤＭＡ（Code Division Multiple Access）である場合を想定してのものである。無線通信方式がＰＤＣ（Personal Digital Cellular）方式の携帯電話では、周波数を使用する。
【００９３】
更に、上記各実施形態では、移動通信端末を携帯電話として説明したが、例えば、ＰＨＳ（Personal Handyphone System）等の様に無線通信機能を備えた情報機器であればよい。
【００９４】
【発明の効果】
本発明によれば、移動通信端末が受信した複数の報知情報を、複数のセル特定情報と対応付けて格納する。移動通信端末がセル特定情報を受信すると、当該セル特定情報と同一の情報が既に格納されているか否かを判定する。判定の結果、セル特定情報と同一の情報が既に格納されている場合は、受信したセル特定情報に対応する報知情報を読み出し、この報知情報に従ってセルを移行する。即ち、移動通信端末は、報知情報を再使用することにより、報知情報の全部を受信することなくセルを移行する。従って、報知情報の全部を受信してセルを移行する場合に比べて、迅速なセル移行が可能になる。また、データ受信チャネルの使用時間が短くなり、移動通信端末の消費電力を低減できる。
【図面の簡単な説明】
【図１】報知情報１０の構成例を示す模式図である。
【図２】移動通信システム１００の全体構成の一例を示す模式図である。
【図３】第１実施形態におけるセル移行処理を説明する為のフローチャートである。
【図４】第１実施形態における報知情報格納処理を説明する為のフローチャートである。
【図５】第１実施形態におけるセル情報格納テーブル５１内部のデータ格納例を示す図である。
【図６】第２実施形態におけるセル移行処理を説明する為のフローチャートである。
【図７】第２実施形態における報知情報格納処理を説明する為のフローチャートである。
【図８】第２実施形態におけるセル情報格納テーブル５１内部のデータ格納例を示す図である。
【図９】第３実施形態におけるセル移行処理を説明する為のフローチャートである。
【図１０】第３実施形態における報知情報格納処理を説明する為のフローチャートである。
【図１１】第３実施形態におけるセル情報格納テーブル５１内部のデータ格納例を示す図である。
【符号の説明】
１…携帯電話、２…アンテナ、３…送受信部、４…制御部、５…記憶部、５１…セル情報格納テーブル、５２…報知情報格納領域、５３…有効時間格納領域、６…音声処理部、１０…報知情報、１０ａ…報知情報構成データＡ群、１０ｂ…報知情報構成データＢ群、Ｂ１，Ｂ２…基地局、１００…移動通信システム
【図１】
0004012394.tif 000002
【図２】
0004012394.tif 000003
【図３】
0004012394.tif 000004
【図４】
0004012394.tif 000005
【図５】
0004012394.tif 000006
【図６】
0004012394.tif 000007
【図７】
0004012394.tif 000008
【図８】
0004012394.tif 000009
【図９】
0004012394.tif 000010
【図１０】
0004012394.tif 000011
【図１１】
0004012394.tif 000012